(57)【要約】      （修正有）【課題】本体と蓋部を別々に製造する必要がなく、容易にフルーツなどの食品を収納保存できる食品用容器を提供する。【解決手段】食品用容器は、一体成形のパック本体１０と、２つの取っ手部材２０と、２つの蓋部材３０とを有し、パック本体は、収納空間１１を備え、２つの取っ手部材は、パック本体の両側に対称に設けられ、各取っ手部材の両端における、パック本体と連結する位置に湾曲可能な曲折線１２０が形成される。また、２つの取っ手部材に組合構造が設けられ、２つの取っ手部材が係合可能となり、各取っ手部材及びパック本体にも結合構造が設置され、各取っ手部材とパック本体が係合可能となる。２つの蓋部材３０はそれぞれ、パック本体と取っ手部材との間に位置するように、パック本体の両側に対称に設けられ、パック本体との連結位置に曲折可能な折畳み線３０１が形成される。【選択図】図１
0003205773.tif 000002
【実用新案登録請求の範囲】
【請求項１】
一体成形のパック本体と、２つの取っ手部材と、２つの蓋部材とを有し、
そのうち、パック本体は、収納空間を備え、
該２つの取っ手部材は、パック本体の両側に対称に設けられ、各取っ手部材の両端における、パック本体と連結する位置に湾曲可能な曲折線が形成され、また、該２つの取っ手部材に組合構造が設けられ、該組合構造により２つの取っ手部材が係合可能となり、該各取っ手部材及びパック本体に結合構造が設置され、該結合構造により該各取っ手部材とパック本体が係合可能となり、
該２つの蓋部材はそれぞれ、パック本体と取っ手部材との間に位置するように、パック本体の両側に対称に設けられ、パック本体との連結位置に曲折可能な折畳み線が形成されることを特徴とする食品用容器。
【請求項２】
前記パック本体における、相対する両側にそれぞれ連結耳部が設けられ、
前記各取っ手部材の両端はそれぞれ曲折線を介して連結耳部に連結され、
前記結合構造が各取っ手部材及び各連結耳部に設置されることを特徴とする請求項１に記載の食品用容器。
【請求項３】
前記結合構造は、凹部と凸部とを係合するものであり、各連結耳部における、一方の取っ手部材の端部近傍に第一結合部が設けられ、各連結耳部における、他方の取っ手部材の端部近傍に第二結合部が設けられ、該一方の取っ手部材の両端における連結耳部の近傍にそれぞれ第二係合部が設けられ、該他方の取っ手部材の両端における連結耳部の近傍にそれぞれ、第一係合部が設けられ、また、該第二係合部と、対応する第二結合部との間の曲折線は、該第二係合部と第二結合部との中間に位置すると共に、該第一係合部と、対応する第一結合部との間の曲折線が、該第一係合部と第一結合部との中間に位置することを特徴とする請求項２に記載の食品用容器。
【請求項４】
前記一方の取っ手部材に少なくとも１つの組合凸部が凸設されると共に、他方の取っ手部材に少なくとも１つの組合凹部が凹設され、該組合凸部が、対応する組合凹部に係合されることを特徴とする請求項１に記載の食品用容器。
【請求項５】
前記一方の取っ手部材に少なくとも１つの組合凸部が凸設されると共に、他方の取っ手部材に少なくとも１つの組合凹部が凹設され、該組合凸部が、対応する組合凹部に係合されることを特徴とする請求項２に記載の食品用容器。
【請求項６】
前記一方の取っ手部材に少なくとも１つの組合凸部が凸設されると共に、他方の取っ手部材に少なくとも１つの組合凹部が凹設され、該組合凸部が、対応する組合凹部に係合されることを特徴とする請求項３に記載の食品用容器。
【請求項７】
前記各蓋部材及びパック本体に嵌込構造が設けられることを特徴とする請求項１乃至６の何れか１項に記載の食品用容器。
【請求項８】
前記パック本体に環状の嵌合溝が凹設されると共に、前記各蓋部材に環状の嵌合凸縁が凸設され、該嵌合凸縁が嵌合溝に嵌め込まれることを特徴とする請求項７に記載の食品用容器。
【請求項９】
前記パック本体が筒状を呈することを特徴とする請求項７に記載の食品用容器。
【請求項１０】
前記パック本体の収納空間に複数の保持穴が排列するように形成されることを特徴とする請求項７に記載の食品用容器。
【考案の詳細な説明】
【技術分野】
【０００１】
本考案は、特にフルーツなどの食品を保存するための食品用容器に関するものである。
【背景技術】
【０００２】
図１０に示すように、既存の食品用容器は、本体８１及び、着脱可能に該本体８１に嵌め込まれる蓋部８２を備え、その本体８１及び蓋部８２は、熱可塑性の材質からなり、真空成形または圧空成形によって製造される。そのうち、真空形成加工では、熱可塑性樹脂のシートを金具に入れ、熱可塑性樹脂のシートを加熱してから金具を真空状態にさせると、加熱された熱可塑性樹脂のシートが金具に貼り付けられて所望の形状となる。一方、圧空形成加工では、熱可塑性樹脂のシートを加熱してから金具に付けられて所望の形状となると、空気を吹き込んで成形品を取り出すことができる。
【考案の概要】
【考案が解決しようとする課題】
【０００３】
しかしながら、既存の食品用容器は、如何なる製造方法を用いても、本体８１と蓋部８２とは別々に製造すると共に、使用時にも、食品を入れてから蓋部８２を本体８１に嵌め込む必要があるので、非常に不便であった。
【課題を解決するための手段】
【０００４】
本考案の食品用容器は、一体成形のパック本体と、２つの取っ手部材と、２つの蓋部材とを有し、
そのうち、パック本体は、収納空間を備え、
該２つの取っ手部材は、パック本体の両側に対称に設けられ、各取っ手部材の両端における、パック本体と連結する位置に湾曲可能な曲折線が形成され、また、該２つの取っ手部材に組合構造が設けられ、該組合構造により２つの取っ手部材が係合可能となり、該各取っ手部材及びパック本体に結合構造が設置され、該結合構造により該各取っ手部材とパック本体が係合可能となり、
該２つの蓋部材はそれぞれ、パック本体と取っ手部材との間に位置するように、パック本体の両側に対称に設けられ、パック本体との連結位置に曲折可能な折畳み線が形成されるものである。
【０００５】
かかる食品用容器において、
前記パック本体における、相対する両側にそれぞれ連結耳部が設けられ、
前記各取っ手部材の両端はそれぞれ曲折線を介して連結耳部に連結され、
前記結合構造が各取っ手部材及び各連結耳部に設置されることが好ましい。
【０００６】
かかる食品用容器において、前記結合構造は、凹部と凸部とを係合するものであり、各連結耳部における、一方の取っ手部材の端部近傍に第一結合部が設けられ、各連結耳部における、他方の取っ手部材の端部近傍に第二結合部が設けられ、該一方の取っ手部材の両端における連結耳部の近傍にそれぞれ第二係合部が設けられ、該他方の取っ手部材の両端における連結耳部の近傍にそれぞれ、第一係合部が設けられ、また、該第二係合部と、対応する第二結合部との間の曲折線は、該第二係合部と第二結合部との中間に位置すると共に、該第一係合部と、対応する第一結合部との間の曲折線が、該第一係合部と第一結合部との中間に位置することが好ましい。
【０００７】
かかる食品用容器において、前記一方の取っ手部材に少なくとも１つの組合凸部が凸設されると共に、他方の取っ手部材に少なくとも１つの組合凹部が凹設され、該組合凸部が、対応する組合凹部に係合されることが好ましい。
【０００８】
かかる食品用容器において、前記各蓋部材及びパック本体に嵌込構造が設けられることが好ましい。
【０００９】
かかる食品用容器において、前記パック本体に環状の嵌合溝が凹設されると共に、前記各蓋部材に環状の嵌合凸縁が凸設され、該嵌合凸縁が嵌合溝に嵌め込まれることが好ましい。
【００１０】
かかる食品用容器において、前記パック本体が筒状を呈することが好ましい。
【００１１】
かかる食品用容器において、前記パック本体の収納空間に複数の保持穴が排列するように形成されることが好ましい。
【考案の効果】
【００１２】
本考案の食品用容器によれば、取っ手部材及び蓋部材が直接にパック本体に連結され、一体に成形されるものであることから、製造上別々に製造する必要がなく、また、使用する時は、例えば果物などの食品を収納してから嵌込構造により蓋部材をパック本体に嵌め込むだけで、食品を保存することができる。さらに、２つの取っ手部材を組合凸部により互いに組み合わせれば、食品用容器を持ちやすい形となり、使用者が食品用容器を持ち歩くことができる。
【００１３】
更に、前記各取っ手部材をパック本体に対して折り曲げて結合構造によりパック本体１０に係合させると、本考案の食品用容器に果物などの食品を収納して保存できる上、、食品用容器を積み重ねて保存空間を節約することができる。
【図面の簡単な説明】
【００１４】
【図１】本考案に係る食品用容器における第一実施例の斜視図である。
【図２】本考案に係る食品用容器における第一実施例の平面図である。
【図３】本考案に係る食品用容器における第一実施例において、使用状態に組み立てる状態を示す連続動作図である。
【図４】本考案に係る食品用容器における第一実施例において、積み重ね可能な形に折り畳む状態を示す連続動作図である。
【図５】図４のＡ-Ａ線の断面図である。
【図６】本考案に係る食品用容器における第二実施例の斜視図である。
【図７】本考案に係る食品用容器における第二実施例の平面図である。
【図８】本考案に係る食品用容器における第二実施例において、持ちやすい形に組み立てる状態を示す連続動作図である。
【図９】本考案に係る食品用容器における第二実施例において、積み重ね可能な形に折り畳む状態を示す連続動作図である。
【図１０】既存の食品用容器の分解斜視図である。
【考案を実施するための形態】
【００１５】
図１及び図２に示すように、本考案に係る第一実施例の食品用容器は、一体成形のものであり、パック本体１０と、２つの取っ手部材２０と、２つの蓋部材３０を有し、そのうち、パック本体１０は、収納空間１１を備え、該収納空間１１に複数の保持穴１２が形成される。尚、本実施例においては、パック本体１０の収納空間１１に、４つの保持穴１２が対称に排列されることが好ましい。
【００１６】
前記２つの取っ手部材２０は、パック本体１０の両側に対称に設けられ、その両端における、パック本体１０と連結する位置に湾曲可能な曲折線１２０が形成される。
本実施例においては、パック本体１０の相対する両側にそれぞれ連結耳部１３が設けられ、各取っ手部材２０は、Ｕ字形を呈し、その両端がそれぞれ曲折線１２０を介して連結耳部１３に連結される。また、その２つの取っ手部材２０にが設けられ、その組合構造は、一方の取っ手部材２０に２つの組合凸部４１が凸設されると共に、他方の取っ手部材２０に２つの組合凹部４２が凹設され、該組合凸部４１が、対応する組合凹部４２に係合される。この構成によれば、その２つの取っ手部材２０を曲折線１２０に沿って連結耳部１３に対して折り曲げて組合構造により互いに組み合わせれば、本考案の食品用容器を使用状態に組み立てることができる。
【００１７】
前記各取っ手部材２０及び各連結耳部１３に結合構造が設けられるが、その結合構造は、凹部と凸部とを係合する構造であることが好ましい。
本実施例における結合構造は、各連結耳部１３における、一方の取っ手部材２０の端部近傍に第一結合部５１Ａが設けられると共に、各連結耳部１３における、他方の取っ手部材２０の端部近傍に第二結合部５１Ｂが設けられ、また、該一方の取っ手部材２０の両端における、連結耳部１３の近傍にそれぞれ第二係合部５２Ｂが設けられると共に、該他方の取っ手部材２０の両端における、連結耳部１３の近傍にそれぞれ第一係合部５２Ａが設けられる。
また、前記一方の取っ手部材２０の第二係合部５２Ｂと、対応する連結耳部１３の第二結合部５１Ｂとの間の曲折線１２０は、その第二係合部５２Ｂと第二結合部５１Ｂとの中間に位置すると共に、該他方の取っ手部材２０の第一係合部５２Ａと、対応する連結耳部１３の第一結合部５１Ａとの間の曲折線１２０は、その第一係合部５２Ａと第一結合部５１Ａとの中間に位置する。
この構成によれば、各取っ手部材２０を曲折線１２０に沿って連結耳部１３に対して折り曲げて結合構造により対応する連結耳部１３に組み合せば、本考案の食品用容器を用いて果物などの食品を収納して保存できる上、食品用容器を積み重ねて保存空間を節約することができる。
【００１８】
前記２つの蓋部材３０はそれぞれ、パック本体１０と取っ手部材２０との間に位置するように、パック本体１０の両側に対称に設けられると共に、パック本体１０と連結する位置に湾曲可能な折畳み線３０１が形成され、該各蓋部材３０及びパック本体１０に嵌込構造が設けられる。
尚、本実施例においては、パック本体１０に環状の嵌合溝６１が凹設され、各蓋部材３０に環状の嵌合凸縁６２が凸設され、該嵌合凸縁６２は嵌合溝６１に嵌め込まれる。
【００１９】
また、本考案の食品用容器によれば、図３に示すように、パック本体１０に体積が大きな食品、例えば、りんごや梨、柿などの果物を保持穴１２に入れて保存すると、果実同士の衝突による破裂や傷みを防止することができる。また、各蓋部材３０をパック本体１０に向かって折り曲げて嵌合構造によりパック本体１０に係合すると、パック本体１０の上方の開口を閉じて果物を保存することができ、さらに、その２つの取っ手部材２０をそれぞれ曲折線１２０に沿って連結耳部１３に対して折り曲げて組合構造によって互いに組み合わせると、取っ手部材２０を握持して食品用容器を持ち歩くことができる。
【００２０】
さらに、図４及び図５に示すように、本考案の食品用容器のパック本体１０に果物などの食品を収納してから蓋部材３０でパック本体１０の上方の開口を閉じ、その後、一方の取っ手部材２０をパック本体１０の上側を通過するように折り曲げて第二係合部５２Ｂにより連結耳部１３の第二結合部５１Ｂに係合すると共に、その他方の取っ手部材２０をパック本体１０の下側を通過するように折り曲げて第一係合部５２Ａにより連結耳部１３の第一結合部５１Ａに係合すれば、食品用容器を積み重ねることができるので、収納空間を節約することができる。
【００２１】
図６及び図７に示すように、本考案の食品用容器の第二実施例は、殆ど第一実施例と同一であるが、以下の点において異なる。
パック本体１０Ａが筒状を呈し、体積が小さな食品、例えば、ミニトマトや、葡萄、いちごなどの食品を保存することができる。また、取っ手部材２０Ａ及び蓋部材３０Ａの形状において第一実施例と異なるが、その使用方法は同一である。
また、図８に示すように、果物などの食品をパック本体１０Ａに収納してから蓋部材３０Ａでパック本体１０Ａの上方の開口を閉じた後、その２つの取っ手部材２０Ａをパック本体１０Ａに向かって折り曲げて組合構造により互いに組み合わせると、本考案の食品用容器の使用状態となる。
【００２２】
更に、図９に示すように、本考案の食品用容器の第二実施例において、その果物などの食品をパック本体１０Ａに収納してから蓋部材３０Ａでパック本体１０Ａの上方の開口を閉じた後、他方の取っ手部材２０Ａをパック本体１０Ａの上側を通過するように折り曲げて第一係合部５２Ａ’により連結耳部１３Ａの第一結合部５１Ａ’に係合すると共に、一方の取っ手部材２０Ａをパック本体１０Ａの下側を通過するように折り曲げて第二係合部５２Ｂ’により連結耳部１３Ａの第二結合部５１Ｂ’に係合すれば、本考案の食品用容器に果物などの食品を収納して保存することができる。
【符号の説明】
【００２３】
１０、１０Ａ    パック本体
１１     収納空間
１２     保持穴
１３、１３Ａ       連結耳部
２０、２０Ａ       取っ手部材
３０、３０Ａ       蓋部材
４１     組合凸部
４２     組合凹部
５１Ａ  第一結合部
５１Ｂ  第二結合部
５２Ａ  第一係合部
５２Ｂ  第二係合部
５１Ａ’ 第一結合部
５１Ｂ’ 第二結合部
５２Ａ’ 第一係合部
５２Ｂ’ 第二係合部
６１     嵌合溝
６２     嵌合凸縁
【図１】
0003205773.tif 000003
【図２】
0003205773.tif 000004
【図３】
0003205773.tif 000005
【図４】
0003205773.tif 000006
【図５】
0003205773.tif 000007
【図６】
0003205773.tif 000008
【図７】
0003205773.tif 000009
【図８】
0003205773.tif 000010
【図９】
0003205773.tif 000011
【図１０】
0003205773.tif 000012